(57)【特許請求の範囲】
【請求項１】
放射線を検知して放射線画像を撮像する放射線撮像装置と、前記放射線撮像装置を制御する撮像制御装置とを含む放射線撮像システムであって、
前記放射線撮像装置は、放射線照射を検知する検知手段を有し、
前記撮像制御装置は、
前記放射線撮像装置の撮像準備期間中において前記検知手段により放射線照射が検知された際の検知情報を取得する取得手段と、
前記取得手段により取得された検知情報に基づいた情報を表示部に表示させる表示制御手段と、を有し、
前記検知情報は、前記撮像準備期間中に放射線照射が検知された際の前記放射線撮像システムのユーザを識別するユーザ識別情報を含み、
前記表示制御手段は、前記検知情報に基づいて、前記撮像準備期間中における放射線照射の検知回数を前記ユーザ識別情報から特定される前記放射線撮像システムのユーザ毎に取得し、前記検知回数と前記ユーザとを対応させて、指定期間に対して一覧表示させることを特徴とする放射線撮像システム。
【請求項２】
前記表示制御手段は、前記ユーザ識別情報から特定される前記放射線撮像システムのユーザの種別に応じて異なる内容の警告メッセージを表示させる請求項１に記載の放射線撮像システム。
【請求項３】
前記撮像制御装置は、前記検知情報を記憶する記憶部を有する請求項１又は２に記載の放射線撮像システム。
【請求項４】
放射線を検知して放射線画像を撮像する放射線撮像装置と、前記放射線撮像装置を制御する撮像制御装置とを含む放射線撮像システムの制御方法であって、
前記放射線撮像装置が、放射線照射を検知する検知ステップと、
前記撮像制御装置が、前記放射線撮像装置の撮像準備期間中において前記検知ステップにより放射線照射が検知された際の検知情報を取得する取得ステップと、
前記撮像制御装置が、前記取得ステップにより取得された検知情報に基づいた情報を表示部に表示させる表示制御ステップと、を含み、
前記検知情報は、前記撮像準備期間中に放射線照射が検知された際の前記放射線撮像システムのユーザを識別するユーザ識別情報を含み、
前記表示制御ステップでは、前記検知情報に基づいて、前記撮像準備期間中における放射線照射の検知回数が前記ユーザ識別情報から特定される前記放射線撮像システムのユーザ毎に取得され、前記検知回数と前記ユーザとを対応させて、指定期間に対して一覧表示されることを特徴とする制御方法。
【請求項５】
請求項４に記載の制御方法を、コンピュータに実行させるためのプログラム。
【発明の詳細な説明】
【技術分野】
【０００１】
本発明は、放射線撮像システム、制御方法及びプログラムに関するものである。
【背景技術】
【０００２】
近年、医療におけるＸ線画像等の放射線画像のデジタル化が進んでいる。放射線画像をデジタル化することで、例えば、撮像した放射線画像を表示部ですぐに確認することができる。２次元のマトリクス状に配列された複数の放射線検出素子により放射線を電気信号に変換して画像を形成する放射線撮像装置が実用化され、急速に普及している。放射線撮像装置では、例えば、固体光検出素子と放射線を可視光に変換するシンチレータとを積層した微小な放射線検出器（センサ）を２次元マトリクス状に配置している。放射線検出器（センサ）を構成する素子は、照射された放射線を照射量に応じた電気信号（電荷）に変換する。放射線撮像装置は、一般的に光電変換素子に印加する電圧を制御することによって、放射線の照射によって生じた電荷を素子内部に蓄積することができる。その後、別の電圧に制御することによって素子から電荷を読み出し、蓄積された電荷に応じて放射線画像が形成される。
【０００３】
例えば、特許文献１に開示されている放射線撮像システムのように、放射線発生部と放射線撮像装置との間で、相互に同期信号をやり取りすることによって、放射線照射と撮像タイミングとを同期させるシステムが提案されている。また、特許文献２に開示されている放射線撮像システムでは、放射線撮像装置に対して放射線が照射された際に放射線撮像装置内部で生じる電流の変化を検出することで、放射線の照射タイミングを検出している。この照射タイミングをトリガとして放射線撮像を開始することにより、放射線の照射と撮像タイミングとの同期をとることができる。
【先行技術文献】
【特許文献】
【０００４】
【特許文献１】特許第４６８４７４７号公報
【特許文献２】特開平１１−１５５８４７号公報
【発明の概要】
【発明が解決しようとする課題】
【０００５】
放射線発生部と放射線撮像装置とが同期されていない放射線撮像システムの場合、放射線発生部は放射線撮像装置の状態に拘わらず放射線を発生させることができる。しかしながら、放射線撮像装置の準備ができていない状態で放射線が照射された場合、照射された放射線により放射線撮像装置に残留した電荷等の影響のため、放射線画像の画質が劣化することがある。また、上記のような放射線画像の画質の問題はなくても、放射線を照射する被写体の情報が確定していない等、放射線撮像システムとして照射不可の状態で放射線を照射した場合、被写体に対して無駄な放射線被ばくを与えてしまう可能性もある。
【０００６】
本発明は、放射線撮像システムの準備ができていない状態で放射線が照射されることにより生じる被写体に対する無駄な被ばく回数を軽減させることを目的とする。
【課題を解決するための手段】
【０００７】
そこで、本発明の放射線システムは、放射線を検知して放射線画像を撮像する放射線撮像装置と、前記放射線撮像装置を制御する撮像制御装置とを含む放射線撮像システムであって、前記放射線撮像装置は、放射線照射を検知する検知手段を有し、前記撮像制御装置は、前記放射線撮像装置の撮像準備期間中において前記検知手段により放射線照射が検知された際の検知情報を取得する取得手段と、前記取得手段により取得された検知情報に基づいた情報を表示部に表示させる表示制御手段と、を有し、前記検知情報は、前記撮像準備期間中に放射線照射が検知された際の前記放射線撮像システムのユーザを識別するユーザ識別情報を含み、前記表示制御手段は、前記検知情報に基づいて、前記撮像準備期間中における放射線照射の検知回数を前記ユーザ識別情報から特定される前記放射線撮像システムのユーザ毎に取得し、前記検知回数と前記ユーザとを対応させて、指定期間に対して一覧表示させることを特徴とする。
【発明の効果】
【０００８】
本発明によれば、放射線撮像システムの準備ができていない状態で放射線が照射されることにより生じる被写体に対する無駄な被ばく回数を軽減させることができる。
【図面の簡単な説明】
【０００９】
【図１】放射線撮像システムの構成の一例を示す図である。
【図２】放射線撮像装置の構成の一例を示す図である。
【図３】放射線撮像装置内のセンサの一例を示す図である。
【図４】放射線撮像装置の状態遷移の一例を示す図である。
【図５】放射線検知後の処理の一例を示すフローチャートである。
【図６】検知情報通知処理の一例を示すフローチャートである。
【図７】放射線照射の検知回数に応じたメッセージの一例を示す図である。
【図８】放射線照射の検知に係る一覧表示処理の一例を示すフローチャートである。
【図９】放射線照射検知回数の一覧画面の一例を示す図である。
【図１０】放射線照射検知時刻の一覧画面の一例を示す図である。
【発明を実施するための形態】
【００１０】
以下、本発明を実施するための形態について図面を用いて説明する。
＜第１の実施形態＞
図１は、放射線撮像システム１０の構成の一例を示す図である。放射線撮像システム１０は、放射線を検知して放射線画像を撮像する放射線撮像装置２０と、放射線撮像装置２０を制御する撮像制御装置３０とで構成される。放射線撮像装置２０は、放射線を検知するセンサ（不図示）を有し、外部からの放射線を検知して放射線画像を撮像することができる機能を有している。
【００１１】
放射線撮像装置２０は、放射線を検出して放射線画像を得る放射線センサ２００と、放射線撮像装置２０に放射線が照射されたことを検知する照射検知部２０１と、放射線撮像装置２０の状態を管理する状態管理部２０２とを有する。照射検知部２０１は、外部から照射された放射線を検知する。より具体的には、照射検知部２０１は、放射線撮像装置２０における光電変換素子の電荷、電流量等の情報に基づいて放射線の照射の有無を検知する。例えば、照射検知部２０１は判定回路を有する。光電変換素子に蓄積される電荷をセンサ駆動回路２１１により定期的に出力させ、当該出力により得られる電気信号の値を所定のレートでサンプリングし、判定回路が当該電気信号の値が所定の閾値を超えるか否かを判定することにより、Ｘ線の照射を検知する。別の実施形態に係る照射検知部２０１は、放射線センサとは別の、光電子増倍管やイオンチャンバ等のＸ線検出部とＸ線検出部から出力される信号を用いた判定を行い放射線が照射されたことを検知する判定部とを有する。放射線撮像装置２０は、撮像可能状態で放射線照射を検知した場合、放射線撮像処理を実行して放射線画像を生成する。放射線撮像装置２０は、生成した放射線画像を撮像制御装置３０へ送る。これにより、撮像制御装置３０は、放射線画像の保存又は表示を行うことができる。放射線撮像装置２０は、撮像準備状態（放射線撮像装置２０が撮像可能状態ではない状態）で放射線照射を検知した場合、制御通信部３０１に対して撮像準備状態で放射線を検知したことを通知する。撮像準備状態の詳細については後述する。状態管理部２０２は、放射線撮像装置２０の状態変更を行う。放射線撮像装置２０の状態には、主に初期化状態、撮像準備状態、撮像可能状態、撮像中状態等の状態がある。状態管理部２０２は、これらの状態の変更を行うことができる。詳細は後述する。
【００１２】
撮像制御装置３０は、放射線撮像装置２０の制御や撮像情報の通信を行う制御通信部３０１と、撮像情報を管理する撮像情報管理部３０２と、撮像情報を放射線撮像システム１０の記憶領域（記憶部）に保存する撮像情報保存部３０３と、撮像画像を含む撮像情報等を表示する表示部３０４とを有する。制御通信部３０１は、例えば、操作部（不図示）の操作を介して受け付けた情報、又は放射線撮像装置２０から出力される情報に基づいて、放射線撮像装置２０を制御する。また、制御通信部３０１は、放射線撮像装置２０が撮像準備状態のときに照射検知部２０１が放射線の照射を検知した場合、状態管理部２０２から撮像準備状態で放射線を検知した通知を受け、表示部３０４や撮像情報管理部３０２へと通知する。
【００１３】
撮像情報管理部３０２は、制御通信部３０１が放射線撮像装置２０から得た撮像画像を含む撮像情報を保存するために、撮像情報保存部３０３に保存指示を出す。また、撮像情報管理部３０２は、過去に撮像された画像等の撮像情報を表示部３０４で表示するために、撮像情報保存部３０３を介して撮像情報を取得し、表示部３０４へと伝達する。また、放射線撮像装置２０が撮像準備状態のときに照射検知部２０１が放射線の照射を検知した場合、撮像情報管理部３０２は、制御通信部３０１から通知される撮像準備状態での検知情報を取得し、撮像情報保存部３０３に保存を指示する。なお、ここでいう、制御通信部３０１から通知される検知情報は、例えば放射線照射が検知されたか否かをそれぞれ０と１で表すｂｏｏｌｅａｎ型の変数の情報である。この場合、当該検知がされた時刻の情報を含んでいてもよい。あるいは、照射検知部２０１が照射を検知するために用いる電流値や電圧値等の信号値であり、当該信号値のデータが、当該信号値の時間変化を追えるだけの数必要となる。この場合、当該信号値が得られた時刻と当該信号値とを組みにしたデータであってもよい。また、上述のような検知情報に、放射線撮像装置２０内でログインユーザＩＤの情報を記憶させる場合には、撮像準備状態で照射検知部２０１が放射線の照射を検知した際における放射線撮像システム１０のログインユーザや時刻（日時）に関する情報が含まれていてもよい。放射線撮像装置２０内でログインユーザＩＤの情報を記憶させなくてもよく、その場合には撮像制御装置３０に記憶されたログインユーザＩＤの情報であって、検知情報が示すＸ線照射が行われたタイミングでのログインユーザＩＤの情報が用いられる。なお、必ずしも厳密なタイミングの管理を必要とするものではなく、当該撮影が開始された際のログインユーザＩＤを用いることとしてもよい。撮像情報保存部３０３は、撮像情報管理部３０２からの指示により撮像画像を含む撮像情報を保存する。また、撮像情報保存部３０３は、撮像情報管理部３０２からの指示により保存している撮像情報を取得し、撮像情報管理部３０２へと伝達する。表示部３０４は、制御通信部３０１からの指示により表示内容を変更する。また、表示部３０４は、撮像情報管理部３０２から取得した撮影情報も表示することができる。このように、表示部３０４は、制御通信部３０１や撮像情報管理部３０２と連携して、ユーザに通知する情報を表示制御する。
【００１４】
図２は、放射線撮像装置２０の構成の一例を示す図である。放射線撮像装置２０は、主に放射線撮像装置内のセンサを駆動するセンサ駆動回路２１１と、放射線の照射を検知する照射検知部２０１と、放射線撮像装置２０を制御するＭＰＵ２１２とを有する。なお、ＭＰＵ２１２は、制御回路として置き換えて表現することができる。
【００１５】
図３は、放射線撮像装置２０内のセンサの一例を示す図である。２次元センサ撮像素子２１３は、ｍ行ｘｎ列のマトリクス上に配列された複数の画素からなる。２次元センサ撮像素子２１３は、例えばｍ＝２８００、ｎ＝２８００のように多くの画素を有している。各画素は、放射線を光電変換素子が感知可能な波長帯域の光に変換する蛍光体と、光電変換素子及びスイッチ素子とからなる。
【００１６】
光電変換素子は、入射した放射線の量に応じて電荷を生成し蓄積する。被写体を透過した放射線は、被写体内部の骨や内臓といった構造物や病巣等によって異なる放射線透過量に依存した分布となる。これらの構造が電荷の分布に変換されて光電変換素子に蓄積されることになる。光電変換素子としては、ＣＣＤの他、アモルファスシリコンやポリシリコンを用いた各種素子が知られている。本実施形態では、光電変換素子として、ガラス基板等の絶縁性基板上に配置されたアモルファスシリコンを主材料とするＭＩＳ型フォトダイオードを用いるが、ＰＩＮ型フォトダイオードを用いてもよい。また、放射線を直接電荷に変換する直接型の変換素子も好適に用いることができる。スイッチ素子としては、制御端子と２つの主端子とを有するトランジスタが好適に用いられ、本実施形態では薄膜トランジスタ（ＴＦＴ）を用いている。
【００１７】
２次元センサ撮像素子２１３上にある行上の画素は、センサ駆動回路２１１により全画素同時にアドレシングされ、行上の各画素の電荷はサンプルホールド回路２１４に保持される。その後、保持された画素出力の電荷はマルチプレクサ２１８を介して順次読み出され、アンプ２１５により増幅された後、Ａ／Ｄ変換器２１６によりデジタル値に変換される。各行の走査が終了する毎に、センサ駆動回路２１１が順次、２次元センサ撮像素子２１３上の次の各行をドライブして走査を行い、最終的に全ての画素出力の電荷がデジタル値に変換される。このようにして、放射線画像の画像データが制御通信部３０１に読み出される。
【００１８】
電源２１７は、各構成要素に電源を供給する。電源２１７は、バイアス配線を通じて光電変換素子のＧ電極にバイアス電圧を供給するとともに、バイアス配線に供給した電流量の変化を含む電流情報を出力する。電流情報は、照射検知部２０１に送られる。照射検知部２０１は、放射線照射中に生じる電流量の変化を捉えることで放射線の照射を検知する。放射線撮像装置２０が撮像準備状態の場合、照射検知部２０１は、状態管理部２０２を通じて、制御通信部３０１へ撮像準備状態における検知情報を通知する。
【００１９】
図４は、本実施形態における放射線撮像装置２０の状態遷移の一例を示す図である。放射線撮像装置２０の状態には、主に、初期化状態、撮像準備状態、撮像可能状態、撮像中状態の状態がある。ステップＳ２０１は、放射線撮像装置２０が初期化状態であることを示している。初期化状態とは、放射線撮像装置２０の２次元センサ撮像素子２１３上の光電変換素子を初期化した状態である。即ち、初期化状態は、光電変換素子の電極への電圧印加が停止された状態であり、いわゆるスリープ状態である。制御通信部３０１が準備開始指示を放射線撮像装置２０に通知することにより、ステップＳ２０２へと遷移する。
【００２０】
ステップＳ２０２は、放射線撮像装置２０が撮像準備状態であることを示している。撮像準備状態は、センサ駆動回路２１１が撮像駆動を実行した際の撮像駆動開始から所定時間経過している状態である。撮像準備状態は、例えば１０秒間に予め設定される。制御通信部３０１は、撮像駆動開始からの所定時間を任意に設定することができる。より具体的には、撮像準備状態は、放射線撮像装置２０における光電変換素子の空読み動作中（リフレッシュ動作中）の状態である。空読み動作とは、先頭行（ｙ＝０）から最終行（ｙ＝ｍ）まで順番にスイッチ素子をＯＮにして導通させる駆動であり、光電変換素子内に生じた暗電流による電荷を除去するために行われる。また、空読み動作は、放射線撮影を行なう前の準備段階であるアイドリング期間に複数回、繰り返し読み出し動作を行なう動作であり、放射線画像を有さない画像データを読み出す動作である。空読み動作は、撮像可能状態になるまでの所定時間、一定の周期で繰り返される。制御通信部３０１は、放射線撮像装置２０が撮像可能状態になるまでの所定時間を任意に設定することができる。そして、撮像の準備が完了するとステップＳ２０３へと遷移する。また、制御通信部３０１の準備停止指示によりステップＳ２０１へと遷移することもできる。
【００２１】
ステップＳ２０３は、放射線撮像装置２０が撮像可能状態であることを示している。撮像可能状態は、２次元センサ撮像素子２１３が撮像駆動を実行した際の撮像駆動開始から所定時間経過している状態である。また、撮像可能状態は、放射線撮像装置２０における光電変換素子の空読み動作が所定時間行われた状態であり、放射線の撮像を行なうことができる状態である。撮像可能状態において放射線が照射されると、光電変換素子から読み出される電荷が増大する。照射検知部２０１は、光電変換素子における電流量の変化を観測することで放射線の照射が開始されたことを検知することができる。照射検知部２０１は、例えば、電流量が所定の閾値を超えた場合、放射線の照射を検知する。また、照射検知部２０１は、光電変換素子における電荷の総量に基づいて放射線の照射を検知するようにしてもよい。放射線撮像装置２０が実際に撮像を開始するとステップＳ２０４へと遷移する。
【００２２】
ステップＳ２０４は、放射線撮像装置２０が撮像中状態であることを示している。放射線撮像装置２０が撮像可能状態であるときに照射検知部２０１による放射線の照射開始が検知されると、その時点で空読み動作は停止される。そして、電荷を蓄積する動作に移行して、撮像中状態となる。電荷の蓄積中は全てのスイッチ素子がＯＦＦとなる。所定の時間が経過して電荷の蓄積が終了すると、本読みに移行する。本読みは先頭行（ｙ＝０）から最終行（ｙ＝ｍ）まで順番にスイッチ素子をＯＮにすることで行われる。このように、放射線撮像装置２０は、撮像可能状態で放射線照射を検知した場合、放射線撮像処理を実行して放射線画像を生成する。表示部３０４は、放射線画像を表示することができる。
【００２３】
図５は、照射検知部２０１が放射線を検知した後の処理の一例を示すフローチャートである。ステップＳ３０１では、照射検知部２０１が放射線の照射を検知し、状態管理部２０２が、放射線撮像装置２０が撮像準備期間かどうかを判定する。撮像準備期間である場合はステップＳ３０２へ、撮像準備期間でない撮影可能な期間である場合はステップＳ３０６へと遷移する。ステップＳ３０２で、状態管理部２０２は、撮像準備期間に照射検知部２０１が放射線照射を検知したことを示す情報（検知情報）を制御通信部３０１へと通知する。通知後、ステップＳ３０３へと遷移する。
【００２４】
ステップＳ３０３で、制御通信部３０１は、状態管理部２０２から取得した撮像準備期間における検知情報を撮像情報管理部３０２へと伝達する。そして、撮像情報管理部３０２は、撮像準備期間に照射検知部２０１が放射線照射を検知した時刻情報（日時情報）の保存を撮像情報保存部３０３に指示して保存させる。保存後、ステップＳ３０４へと遷移する。ステップＳ３０４で、撮像情報管理部３０２は、撮像準備期間に照射検知部２０１が放射線照射を検知した際のログインユーザ名及びログインＩＤに関する情報の保存を撮像情報保存部３０３に指示して保存させる。ここで、Ｓ３０３で保存された時刻情報（日時情報）と、Ｓ３０４で保存されたログインユーザ名及びログインＩＤに関する情報とは、対応付いている。なお、ログインユーザ名及びログインＩＤは、ログインユーザを識別するユーザ識別情報の一例である。保存後、ステップＳ３０５へと遷移する。ステップＳ３０５で、制御通信部３０１は、表示部３０４へ撮像準備期間における検知情報を伝達する。そして、表示部３０４は、検知情報をユーザに通知する処理を実行する。ステップＳ３０５の処理の詳細については、後述する図６にて説明する。ステップＳ３０６では、ステップＳ３０１で状態管理部２０２が撮像準備期間でない通常の撮影可能期間であると判定したため、撮影処理が実行される。
【００２５】
図６は、放射線撮像装置２０が撮像準備期間において照射検知部２０１により放射線照射を検知した後、表示部３０４によりユーザに検知情報を通知する処理の一例を示すフローチャートである。ステップＳ４０１で、制御通信部３０１は、ログインユーザがログインＩＤを持つ通常ユーザか判定する。通常ユーザであればステップＳ４０２へ、ログインＩＤを持っていないゲストユーザであればステップＳ４０４へと遷移する。即ち、ステップＳ４０１で、制御通信部３０１は、ログインユーザの種別を判定する。ステップＳ４０２で、撮像情報管理部３０２は、現在、放射線撮像システム１０を使用中のログインユーザ（通常ユーザ）が過去にログイン中に、撮像準備期間において放射線照射が検知された回数を、撮像情報保存部３０３を介して取得する。より具体的には、撮像情報管理部３０２は、撮像準備期間において放射線照射が検知される度にＳ３０４で保存された情報を用いて、前記回数を取得する。取得後、ステップＳ４０３へと遷移する。
【００２６】
ステップＳ４０３で、制御通信部３０１は、後述する図７に示すような通常ユーザに対する撮像準備期間の検知回数に応じたメッセージ内容を取得する。取得後、ステップＳ４０６へと遷移する。ステップＳ４０４で、撮像情報管理部３０２は、現在、放射線撮像システム１０を使用中のゲストユーザが過去にログイン中に、撮像準備期間において放射線照射が検知された回数を、撮像情報保存部３０３を介して取得する。より具体的には、撮像情報管理部３０２は、撮像準備期間において放射線照射が検知される度にＳ３０４で保存された情報を用いて、前記回数を取得する。取得後、ステップＳ４０５へと遷移する。ステップＳ４０５で、制御通信部３０１は、図７に示すようなゲストユーザに対する撮像準備期間の検知回数に応じたメッセージ内容を取得する。取得後、ステップＳ４０６へと遷移する。ステップＳ４０６で、表示部３０４は、ステップＳ４０３又はステップＳ４０５で取得されたメッセージ内容を表示する。このように、表示部３０４は、誤照射した回数毎にメッセージの表示内容を変更して表示することができる。更に、表示部３０４は、ログインユーザの種別に応じてメッセージの表示内容を変更して表示することができる。これにより、使用者に対する注意喚起を適切に行うことができる。
【００２７】
図７は、撮像準備期間における放射線照射の検知回数に応じたログインユーザ別メッセージ（警告メッセージ）内容の一例を示す図である。例えば、ログインＩＤを持った通常ユーザに対しては、１〜１０回の間、１１〜３０回の間、３１回以上の３つに区切り、それぞれで表示するメッセージ内容を変更することができる。また、例えば、ログインＩＤを持たないゲストユーザに対しては、１〜３０回の間、３１回以上の２つに区切り、それぞれで表示するメッセージ内容を変更することができる。メッセージ内容を変更する際に利用される検知回数は、上記の回数に限らず、任意の回数をシステム毎に設定できる。また、ログインユーザの種別の分け方としては、上記のようなログインＩＤの有無という分け方に限らず、任意の分け方をシステム毎に設定できる。また、メッセージの内容も、図７に示される内容に限らず、任意のメッセージをシステム毎に設定できる。
【００２８】
図８（ａ）は、撮像準備期間における放射線照射の検知に基づいて、放射線照射検知回数の一覧を表示する処理の一例を示すフローチャートである。ステップＳ５０１で、表示部３０４は、撮像情報管理部３０２を介して撮像情報保存部３０３から、ログインユーザ毎に撮像準備期間における放射線照射の検知回数を取得する。取得後、ステップＳ５０２へと遷移する。ステップＳ５０２で、表示部３０４は、ステップＳ５０１で取得した撮像準備期間におけるログインユーザ毎の放射線照射の検知回数を一覧表示する。このように、表示部３０４は、誤照射した回数をログインユーザ毎に一覧表示することができる。表示部３０４が表示する前記一覧表示の画面例を図９に示す。本実施形態では、表示部３０４が過去３カ月分を一覧表示しているが、一覧表示する期間はこれに限定しなくてもよい。
【００２９】
図８（ｂ）は、撮像準備期間における放射線照射の検知に基づいて、放射線照射検知時刻の一覧を表示する処理の一例を示すフローチャートである。ステップＳ６０１で、表示部３０４は、撮像情報管理部３０２を介して撮像情報保存部３０３から、撮像準備期間に放射線照射が検知された際の時刻情報（日時情報）と、そのときのログインユーザのログインＩＤとを取得する。より具体的には、表示部３０４は、撮像準備期間において放射線照射が検知される度にＳ３０３、Ｓ３０４で保存された情報を用いて、前記時刻情報（日時情報）と、前記ログインＩＤとを取得する。取得後、ステップＳ６０２へと遷移する。ここで、撮像準備期間に放射線照射が検知された際の時刻情報とともにログインＩＤを取得するようにしているが、取得されるデータはログインＩＤに限定しなくてもよい。例えば、ログインユーザのユーザ名等であってもよい。ステップＳ６０２で、表示部３０４は、ステップＳ６０１で取得した時刻情報とログインＩＤとを対応付けて一覧表示する。このように、表示部３０４は、誤照射した時刻（日時）をログインユーザ毎に一覧表示することができる。表示部３０４が表示する前記一覧表示の画面例を図１０に示す。本実施形態では、ログインユーザ名又はログインＩＤを使用して使用者を区別しているが、これに限定せず、例えば、技師名等の使用者を特定できる情報であれば何れの情報であってもよい。
【００３０】
本実施形態のように、放射線撮像装置２０が撮像準備期間中に使用者が誤って放射線を照射させてしまった場合は誤照射となり、その誤照射した回数毎にメッセージの表示内容を変更することで、使用者に対する注意喚起をより適切に行うことができる。また、上記のように誤照射した回数をログインユーザ毎に一覧表示することで、管理者から各使用者に対して使用上の注意を行うこともできる。
また、例えば、各使用者でログインＩＤを共有して放射線撮像装置２０を使用する場合や、ログインＩＤを持たないゲストユーザが放射線撮像装置２０を使用する場合等もある。このような場合には、誤照射した時刻情報を保存し、後から一覧表示することで、誤照射した時刻に使用していた使用者を割り出すこともできる。実施形態の１つでは、放射線撮像装置２０のユーザが変わるたび、当該撮像制御装置３０に接続された操作部からの操作入力によって、撮像情報管理部３０２は、ユーザが変わったことを示す情報と、当該変更後のユーザ識別情報とを取得する。例えば、撮像情報管理部３０２は、表示部３０４に、ユーザ識別情報を入力するためのテキストボックスと、ユーザが変更されたことを示す情報を入力するためのボタンとを表示させる。その後、操作部からの操作入力によりテキストボックスにユーザ識別情報が入力され、ボタンが押下される。当該ボタンの押下に応じて、撮像情報管理部３０２は当該入力以降、次に異なるユーザ識別情報とユーザが変更されたことを示す情報とが入力されるまでの間、放射線撮影装置のユーザを当該入力されたユーザ識別情報に対応するユーザとする。このようにすることで、ログインユーザに限らず広くユーザ毎に誤曝射の回数をカウントすることが可能となり、より詳細な管理を実現することができる。
また、撮影部位等１回の撮影に関する情報を示す撮影情報毎に、技師名等のユーザ識別情報が関連付けられている場合には、当該撮影情報が撮影の為に選択されることに応じて、撮像情報管理部３０２によりシステムのユーザが設定される。撮影情報毎にユーザ識別情報を関連付けるのではなく、少なくとも１つの撮影情報を含む検査情報毎にユーザ識別情報を関連付けるようにしてもよい。
なお、ユーザの設定は、撮像情報管理部３０２により、現在の使用者の情報が撮像情報保存部３０３に記憶されることで設定される。当該現在の使用者の情報が撮像情報管理部３０２により書き換えられることにより、現在の使用者の情報が再設定され、誤曝射回数のカウントの際に撮像情報管理部３０２により適宜参照される。
【００３１】
以上のように、放射線撮像システム１０の使用者に対して注意喚起することができたり、管理者が各使用者を適切に管理することができたりするシステムを実現することで、誤ったタイミングでの放射線照射回数を低減することができる。
【００３２】
＜その他の実施形態＞
実施形態の１つでは、撮像制御装置３０で実行する機能の一部を放射線撮像装置２０で実現することとしてもよい。すなわち、放射線撮像装置２０は撮像制御装置３０と通信する、図示されない通信回路により、放射線撮像装置２０あるいは放射線撮像システム１０のユーザの識別情報を受信する。照射検知部２０１は、放射線センサ２００についての正規の撮影期間に放射線が照射されない誤曝射が生じたことを示す情報を照射検知部２０１で得られた信号値に基づいて取得する。ここで誤曝射が生じたことを示す情報は、例えば上述の実施形態と同様に誤曝射が生じたか否かを示すｂｏｏｌｅａｎ型の変数値である。そしてＭＰＵ２１２は取得手段により取得される情報と、当該誤曝射が生じた際の放射線撮像装置２０のユーザの識別情報を関連付けて放射線撮像装置２０内のメモリに記憶させる。さらに、上述した通信回路は、誤曝射が生じたか否かを示す情報と、ユーザの識別情報とを撮像制御装置３０に送信する。
なお、送信処理に関して、必ずしも放射線撮像装置２０と撮像制御装置３０が直接通信している状況である必要はなく、１つ以上の中継器を介して送信する場合もある。あるいは中継器において通信回路により出力された情報が一時的に保存されており、所定のタイミングで受け側の撮像制御装置３０が中継器に対して要求し、当該要求に応じて一時的に保存された情報を受信する場合も含まれる。
通信回路による通信は、無線により行われても、有線により行われても、その両方を有することとしてもよい。無線通信を行う場合、通信回路は無線アンテナを有し、有線通信を行う場合、コネクタを有する。通信を制御するコントローラは専用の回路であってもよいし、ＭＰＵ２１２がその機能を兼ねることとしてもよい。
本発明の実施形態は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理で実現する形態も含む。もちろん１以上の機能を実現する回路（例えば、ＡＳＩＣ）によっても実現可能である。
【００３３】
以上、上述した各実施形態によれば、放射線撮像システム１０の準備ができていない状態で放射線が照射されることにより生じる被写体に対する無駄な被ばく回数を軽減させることができる。
【００３４】
以上、本発明の好ましい形態について詳述したが、本実施形態は係る特定の実施形態に限定されるものではなく、特許請求の範囲に記載された本発明の要旨の範囲内において、種々の変形・変更が可能である。
【符号の説明】
【００３５】
１０  放射線撮像システム、２０  放射線撮像装置、３０  撮像制御装置、２０１  照射検知部、２０２  状態管理部、３０１  制御通信部、３０２  撮像情報管理部、３０３  撮像情報保存部、３０４  表示部
【図１】
0006478524.tif 000002
【図２】
0006478524.tif 000003
【図３】
0006478524.tif 000004
【図４】
0006478524.tif 000005
【図５】
0006478524.tif 000006
【図６】
0006478524.tif 000007
【図７】
0006478524.tif 000008
【図８】
0006478524.tif 000009
【図９】
0006478524.tif 000010
【図１０】
0006478524.tif 000011